【事件の表示】
　特許第３１１９８１７号「太陽電池パネルの取付構造およびその太陽電池パネルの取付方法」の請求項１ないし３に係る特許に対する特許異議の申立てについて、次のとおり決定する。
【結　論】
　訂正を認める。
　本件特許異議の申立てを却下する。
【理　由】
１．手続の経緯
　本件特許第３１１９８１７号に係る出願は、平成８年６月５日の出願であって、平成１２年１０月１３日に特許権の設定登録がなされ、その後、茨木恭一から特許異議の申立がなされ、取消理由が通知され、その指定期間内である平成１４年１月２９日に訂正請求がなされたものである。
　
２．訂正の適否についての判断
（１）訂正の内容
　
　訂正事項ａ：特許請求の範囲の請求項１ないし請求項３における記載を、特許請求の範囲の減縮を目的として削除する訂正をする。
　
　訂正事項ｂ：特許請求の範囲の請求項４における記載を、明りょうでない記載の釈明を目的として、訂正事項ａの特許請求の範囲の請求項１ないし請求項３を削除する訂正に対応させて、新たな請求項１とする訂正をする。すなわち、新たな請求項１を、
「建物の屋根を構成し、かつ、工場で生産される複数の屋根構成材に、予め工場で、太陽電池パネル取り付け用の複数の取付部材が取り付けられるともに、これらの取付部材に多数の太陽電池パネルが取り付けられ、
　前記複数枚の屋根構成材のうち隣接する屋根構成材の隣合う端部同士間には、２つの屋根構成材に跨がって前記取付部材を介してジョイント用太陽電池パネルが設けられている
　ことを特徴とする太陽電池パネルの取付構造。」とする。
　
　訂正事項ｃ：特許請求の範囲の請求項５における記載を、明りょうでない記載の釈明を目的として、訂正事項ａの特許請求の範囲の請求項１ないし請求項３を削除する訂正に対応させて、新たな請求項２とする訂正をする。すなわち、新たな請求項２を、
「建物の屋根に太陽電池パネルを取り付ける太陽電池パネルの取付方法において、
　前記屋根を構成する屋根構成材を工場で複数生産した後、
　これらの屋根構成材に、太陽電池パネル取り付け用の複数の取付部材を取り付けるとともに、それぞれの隣合う端部同士を除いてこれらの取付部材に前記太陽電池パネルを取り付け、
　これらの屋根構成材を現場に輸送して前記建物を構成する建物構成体に取り付けた後、
　前記屋根構成材の隣合う端部同士間にジョイント用太陽電池パネルを取り付ける
　ことを特徴とする太陽電池パネルの取付方法。」とする。
　
　訂正事項ｄ：段落【０００６】ないし【００１３】を、明りょうでない記載の釈明を目的として削除する。
　
　訂正事項ｅ：段落【００１４】の「本発明の太陽電池パネルの取付構造において、図１に示すように、複数枚の屋根構成材５のうち隣接する屋根構成材５の隣合う端部同士間に、２つの屋根構成材５に跨がらせかつ取付部材２０を介してジョイント用太陽電池パネル１０’を設けてもよい。」を、明りょうでない記載の釈明を目的として、「【課題を解決するための手段】本発明に係る太陽電池パネルの取付構造は、図面を参照して説明すると、図１に示すように、建物の屋根を構成し、かつ、工場で生産される複数の屋根構成材に、予め工場で、太陽電池パネル取り付け用の複数の取付部材が取り付けられるとともに、これらの取付部材に多数の太陽電池パネルが取り付けられ、前記複数枚の屋根構成材５のうち隣接する屋根構成材５の隣合う端部同士間には、２つの屋根構成材５に跨がって前記取付部材を介してジョイント用太陽電池パネル１０’が設けられていることを特徴とするものである。」と訂正する。
　
　訂正事項ｆ：段落【００１５】の「以上において、ジョイント用太陽電池パネル１０’は、太陽電池パネル１０と同じ大きさであることが好ましいが、異なった大きさのものでもよい。また、ジョイント用太陽電池パネル１０’は、現場で取り付けることが好ましい。」を、明りょうでない記載の釈明を目的として、「以上において、屋根構成材５としては屋根パネルを使用することが好ましいが、屋根ユニットを使用してもよい。また、取付部材２０は屋根の傾斜方向に沿って設けられることが好ましい。さらに、太陽電池パネル１０は、屋根の例えば２つの傾斜面に取り付けてもよいが、太陽光線をより多く採り入れることが可能な、例えば南向きの屋根面にのみ取り付けることが好ましい。また、太陽電池パネル１０を、予め工場で、取付部材２０に取り付けてもよい。さらに、ジョイント用太陽電池パネル１０’は、太陽電池パネル１０と同じ大きさであることが好ましいが、異なった大きさのものでもよい。また、ジョイント用太陽電池パネル１０’は、現場で取り付けることが好ましい。」と訂正する。
　
　訂正事項ｇ：段落【００１６】の「このような本発明では、屋根構成材５の幅寸法と太陽電池パネル１０の幅寸法とが対応しておらず、屋根構成材５の幅寸法内に所定枚数の太陽電池パネル１０が収まらないときでも、ジョイント用太陽電池パネル１０’を２つの屋根構成材５に跨がらせることができ、隣接する屋根構成材５に連続して太陽電池パネルを配置することができ、これにより、発電効率を高めることができる。」を、明りょうでない記載の釈明を目的として、「このような本発明では、取付部材２０が予め工場で屋根構成材５に取り付けられ、さらに、取付部材２０に太陽電池パネル１０が取り付けられており、現場でこれら２０，１０を取り付けなくてすむので、現場作業が少なくてすみ、かつ、短時間で設置することができる。また、屋根構成材５の幅寸法と太陽電池パネル１０の幅寸法とが対応しておらず、屋根構成材５の幅寸法内に所定枚数の太陽電池パネル１０が収まらないときでも、ジョイント用太陽電池パネル１０’を２つの屋根構成材５に跨がらせることができ、隣接する屋根構成材５に連続して太陽電池パネルを配置することができ、これにより、発電効率を高めることができる。」と訂正する。
　
　訂正事項ｈ：段落【００３８】の「以上に説明したように、本発明の太陽電池パネルの取付構造によれば、取付部材が予め工場で屋根構成材に取り付けられているので、現場で取り付けなくてすむ。従って、現場作業が少なくてすみ、かつ、屋根を短時間で設置することができる。また、取付部材が樋部を有するので、太陽電池パネルの下端に溜まった雨水等を軒先に排水できるという効果がある。」を、明りょうでない記載の釈明を目的として、「以上に説明したように、本発明の太陽電池パネルの取付構造および取付方法によれば、取付部材が予め工場で屋根構成材に取り付けられているので、現場で取り付けなくてすむ。従って、現場作業が少なくてすみ、かつ、屋根を短時間で設置することができるという効果がある。また、屋根構成材の幅寸法と太陽電池パネルの幅寸法とが対応しておらず、屋根構成材の幅寸法内に所定枚数の太陽電池パネルが収まらないときでも、ジョイント用太陽電池パネルを２つの屋根構成材に跨がらせることができるので、隣接する屋根構成材に連続して太陽電池パネルを配置することができ、これにより、発電効率を高めることができる。」と訂正する。
　
　訂正事項ｉ：段落【００３９】を、明りょうでない記載の釈明を目的として、削除する。
　
（２）訂正の目的の適否、新規事項の有無及び拡張・変更の存否
　上記訂正事項ａに係る訂正は、請求項の削除であり、特許請求の範囲の減縮を目的とするものである。
　上記訂正事項ｂ、ｃに係る訂正は、上記訂正事項ａによる請求項の削除に伴い、順次請求項を繰り上げたものであって、明りょうでない記載の釈明に該当する。
　上記訂正事項ｄないしｉに係る訂正は、訂正事項aないしｃに関連してなされたものであって、明りょうでない記載の釈明に該当する。
　そして、これらの訂正は願書に添付した明細書又は図面に記載した事項の範囲内のものであり、実質上特許請求の範囲を拡張し、又は変更するものではない。
　
（３）むすび
　以上のとおりであるから、上記訂正は、特許法第１２０条の４第２項及び第３項で準用する特許法第１２６条第２項および第３項の規定に適合するので、当該訂正を認める。
　
４．異議の申立てについての判断
　請求項１ないし３に係る発明は、訂正の結果削除され、特許異議の申立ての対象が存在しないので、この特許異議の申立ては、不適法な申立てであって、その補正をすることができないものである。
　したがって、本件特許異議の申立ては、特許法第１２０条の６第１項で準用する第１３５条の規定によって却下すべきものである。
　よって、結論のとおり決定する。
【異議決定日】
平成１４年３月２９日（２００２．３．２９）
【訂正の要旨】
訂正の要旨
　訂正事項ａ：特許請求の範囲の請求項１ないし請求項３における記載を、特許請求の範囲の減縮を目的として削除する訂正をする。
　訂正事項ｂ：特許請求の範囲の請求項４における記載を、明りょうでない記載の釈明を目的として、訂正事項ａの特許請求の範囲の請求項１ないし請求項３を削除する訂正に対応させて、新たな請求項１とする訂正をする。すなわち、新たな請求項１を、
「建物の屋根を構成し、かつ、工場で生産される複数の屋根構成材に、予め工場で、太陽電池パネル取り付け用の複数の取付部材が取り付けられるともに、これらの取付部材に多数の太陽電池パネルが取り付けられ、
　前記複数枚の屋根構成材のうち隣接する屋根構成材の隣合う端部同士間には、２つの屋根構成材に跨がって前記取付部材を介してジョイント用太陽電池パネルが設けられている
　ことを特徴とする太陽電池パネルの取付構造。」とする。
　訂正事項ｃ：特許請求の範囲の請求項５における記載を、明りょうでない記載の釈明を目的として、訂正事項ａの特許請求の範囲の請求項１ないし請求項３を削除する訂正に対応させて、新たな請求項２とする訂正をする。すなわち、新たな請求項２を、
「建物の屋根に太陽電池パネルを取り付ける太陽電池パネルの取付方法において、
　前記屋根を構成する屋根構成材を工場で複数生産した後、
　これらの屋根構成材に、太陽電池パネル取り付け用の複数の取付部材を取り付けるとともに、それぞれの隣合う端部同士を除いてこれらの取付部材に前記太陽電池パネルを取り付け、
　これらの屋根構成材を現場に輸送して前記建物を構成する建物構成体に取り付けた後、
　前記屋根構成材の隣合う端部同士間にジョイント用太陽電池パネルを取り付ける
　ことを特徴とする太陽電池パネルの取付方法。」とする。
　訂正事項ｄ：段落【０００６】ないし【００１３】を、明りょうでない記載の釈明を目的として削除する。
　訂正事項ｅ：段落【００１４】の「本発明の太陽電池パネルの取付構造において、図１に示すように、複数枚の屋根構成材５のうち隣接する屋根構成材５の隣合う端部同士間に、２つの屋根構成材５に跨がらせかつ取付部材２０を介してジョイント用太陽電池パネル１０’を設けてもよい。」を、明りょうでない記載の釈明を目的として、「【課題を解決するための手段】本発明に係る太陽電池パネルの取付構造は、図面を参照して説明すると、図１に示すように、建物の屋根を構成し、かつ、工場で生産される複数の屋根構成材に、予め工場で、太陽電池パネル取り付け用の複数の取付部材が取り付けられるとともに、これらの取付部材に多数の太陽電池パネルが取り付けられ、前記複数枚の屋根構成材５のうち隣接する屋根構成材５の隣合う端部同士間には、２つの屋根構成材５に跨がって前記取付部材を介してジョイント用太陽電池パネル１０’が設けられていることを特徴とするものである。」と訂正する。
　訂正事項ｆ：段落【００１５】の「以上において、ジョイント用太陽電池パネル１０’は、太陽電池パネル１０と同じ大きさであることが好ましいが、異なった大きさのものでもよい。また、ジョイント用太陽電池パネル１０’は、現場で取り付けることが好ましい。」を、明りょうでない記載の釈明を目的として、「以上において、屋根構成材５としては屋根パネルを使用することが好ましいが、屋根ユニットを使用してもよい。また、取付部材２０は屋根の傾斜方向に沿って設けられることが好ましい。さらに、太陽電池パネル１０は、屋根の例えば２つの傾斜面に取り付けてもよいが、太陽光線をより多く採り入れることが可能な、例えば南向きの屋根面にのみ取り付けることが好ましい。また、太陽電池パネル１０を、予め工場で、取付部材２０に取り付けてもよい。さらに、ジョイント用太陽電池パネル１０’は、太陽電池パネル１０と同じ大きさであることが好ましいが、異なった大きさのものでもよい。また、ジョイント用太陽電池パネル１０’は、現場で取り付けることが好ましい。」と訂正する。
　訂正事項ｇ：段落【００１６】の「このような本発明では、屋根構成材５の幅寸法と太陽電池パネル１０の幅寸法とが対応しておらず、屋根構成材５の幅寸法内に所定枚数の太陽電池パネル１０が収まらないときでも、ジョイント用太陽電池パネル１０’を２つの屋根構成材５に跨がらせることができ、隣接する屋根構成材５に連続して太陽電池パネルを配置することができ、これにより、発電効率を高めることができる。」を、明りょうでない記載の釈明を目的として、「このような本発明では、取付部材２０が予め工場で屋根構成材５に取り付けられ、さらに、取付部材２０に太陽電池パネル１０が取り付けられており、現場でこれら２０，１０を取り付けなくてすむので、現場作業が少なくてすみ、かつ、短時間で設置することができる。また、屋根構成材５の幅寸法と太陽電池パネル１０の幅寸法とが対応しておらず、屋根構成材５の幅寸法内に所定枚数の太陽電池パネル１０が収まらないときでも、ジョイント用太陽電池パネル１０’を２つの屋根構成材５に跨がらせることができ、隣接する屋根構成材５に連続して太陽電池パネルを配置することができ、これにより、発電効率を高めることができる。」と訂正する。
　訂正事項ｈ：段落【００３８】の「以上に説明したように、本発明の太陽電池パネルの取付構造によれば、取付部材が予め工場で屋根構成材に取り付けられているので、現場で取り付けなくてすむ。従って、現場作業が少なくてすみ、かつ、屋根を短時間で設置することができる。また、取付部材が樋部を有するので、太陽電池パネルの下端に溜まった雨水等を軒先に排水できるという効果がある。」を、明りょうでない記載の釈明を目的として、「以上に説明したように、本発明の太陽電池パネルの取付構造および取付方法によれば、取付部材が予め工場で屋根構成材に取り付けられているので、現場で取り付けなくてすむ。従って、現場作業が少なくてすみ、かつ、屋根を短時間で設置することができるという効果がある。また、屋根構成材の幅寸法と太陽電池パネルの幅寸法とが対応しておらず、屋根構成材の幅寸法内に所定枚数の太陽電池パネルが収まらないときでも、ジョイント用太陽電池パネルを２つの屋根構成材に跨がらせることができるので、隣接する屋根構成材に連続して太陽電池パネルを配置することができ、これにより、発電効率を高めることができる。」と訂正する。
　訂正事項ｉ：段落【００３９】を、明りょうでない記載の釈明を目的として、削除する。
（５４）【発明の名称】
太陽電池パネルの取付構造およびその太陽電池パネルの取付方法
（５７）【特許請求の範囲】
　【
請求項１
　【
請求項２
【発明の詳細な説明】
　【０００１】
　【発明の属する技術分野】
　本発明は、太陽エネルギーを利用した太陽電池パネルを建物の屋根に取り付ける太陽電池パネルの取付構造およびその太陽電池パネルの取付方法に関する。
　【０００２】
　【背景技術】
　従来より、環境や生態系に悪影響を与えないエネルギーとして太陽エネルギーが知られており、この太陽エネルギーを変換して電気や温水として利用できるようにする太陽電池等の太陽エネルギー変換装置がある。このような装置は、建物の屋根に設置するのが一般的である。
　そして、太陽電池は、屋根に設置するにあたり、水による漏電や短絡等の事故を未然に防止する必要があり、太陽電池であるソーラセルを平板状の完全防水ケースの内部に収めて太陽電池パネルとして設置するのが好ましい。この太陽電池パネルは、一枚で所定の電圧および電力が得られるように、所定枚数のソーラセルを有するものとなっている。
　【０００３】
　このような太陽電池パネルの取付構造としては、建物の屋根を構成する例えば屋根パネルを現場で取り付けた後、この屋根パネルの上面に、屋根の傾斜方向に沿って細長いレール状の取付部材を釘打ち等によって敷設し、この取付部材に太陽電池パネルの両端縁を載せるとともに、ビス止め等して取り付ける構造が考えられる。このような構造によれば、太陽電池パネルと屋根パネルとの間に隙間が形成され、この隙間を外部と連通させれば、隙間内の空気が外部と循環可能となり、この循環する空気で太陽光線で熱せられる太陽電池パネルを冷せるので、温度上昇による太陽電池パネルの電圧低下を防止できる。
　【０００４】
　【発明が解決しようとする課題】
　しかし、前述のような太陽電池パネルの取付構造では、現場で建物本体に屋根パネルを取り付けた後、この屋根パネルの上面に取付部材を釘打ち等によって敷設し、さらに、この取付部材に太陽電池パネルを取り付けなければならないので、現場作業が増え、設置に多くの時間がかかるという問題があった。
　【０００５】
　本発明の目的は、現場作業が少なくてすみ、かつ、短時間で設置することができる太陽電池パネルの取付構造、およびその太陽電池パネルの取付方法を提供することにある。
　【０００６】
　【０００７】
　【０００８】
　【０００９】
　【００１０】
　【００１１】
　【００１２】
　【００１３】
　【００１４】
　【
課題を解決するための手段
　本発明
に係る
は、図面を参照して説明すると、
建物の屋根を構成し、かつ、工場で生産される複数の屋根構成材に、予め工場で、太陽電池パネル取り付け用の複数の取付部材が取り付けられるとともに、これらの取付部材に多数の太陽電池パネルが取り付けられ、前記
は
って前記
が設けられていることを特徴とするものである。
　【００１５】
　以上において、
屋根構成材５としては屋根パネルを使用することが好ましいが、屋根ユニットを使用してもよい。また、取付部材２０は屋根の傾斜方向に沿って設けられることが好ましい。さらに、太陽電池パネル１０は、屋根の例えば２つの傾斜面に取り付けてもよいが、太陽光線をより多く採り入れることが可能な、例えば南向きの屋根面にのみ取り付けることが好ましい。また、太陽電池パネル１０を、予め工場で、取付部材２０に取り付けてもよい。
　さらに、ジョイント用太陽電池パネル１０’は、太陽電池パネル１０と同じ大きさであることが好ましいが、異なった大きさのものでもよい。また、ジョイント用太陽電池パネル１０’は、現場で取り付けることが好ましい。
　【００１６】
　このような本発明では、
取付部材２０が予め工場で屋根構成材５に取り付けられ、さらに、取付部材２０に太陽電池パネル１０が取り付けられており、現場でこれら２０，１０を取り付けなくてすむので、現場作業が少なくてすみ、かつ、短時間で設置することができる。また、
　【００１７】
　本発明に係る太陽電池パネルの取付方法は、図１，２に示すように、建物１の屋根４に太陽電池パネル１０を取り付ける太陽電池パネルの取付方法において、屋根４を構成する屋根構成材５を工場で複数生産した後、これらの屋根構成材５に、太陽電池パネル取り付け用の複数の取付部材２０を取り付けるとともに、それぞれの隣合う端部同士を除いてこれらの取付部材２０に太陽電池パネル１０を取り付け、これらの屋根構成材５を現場に輸送して建物１を構成する建物構成体３に取り付けた後、屋根構成材５の隣合う端部同士間にジョイント用太陽電池パネル１０’を取り付けることを特徴とするものである。
　【００１８】
　以上において、屋根構成材５としては屋根パネルを使用することが好ましいが、屋根ユニットを使用してもよい。また、取付部材２０は屋根の傾斜方向に沿って設けられることが好ましい。さらに、ジョイント用太陽電池パネル１０’は、太陽電池パネル１０と同じ大きさであることが好ましいが、異なった大きさのものでもよい。
　【００１９】
　このような本発明では、取付部材２０が予め工場で屋根構成材５に取り付けられ、さらに、取付部材２０に太陽電池パネル１０が取り付けられており、現場でこれら２０，１０を取り付けなくてすむので、現場作業が少なくてすみ、かつ、短時間で設置することができる。また、屋根構成材５の幅寸法と太陽電池パネル１０の幅寸法とが対応しておらず、屋根構成材５の幅寸法内に所定枚数の太陽電池パネル１０が収まらないときでも、ジョイント用太陽電池パネル１０’を２つの屋根構成材５に跨がらせることができ、隣接する屋根構成材５に連続して太陽電池パネルを配置することができる。
　【００２０】
　【発明の実施の形態】
　以下に本発明の一実施の形態を図面に基づいて説明する。
　図１に示すように、本実施の形態に係るユニット式建物１は、予め工場で生産された複数の下階建物ユニット２と、これらの下階建物ユニット２の上に載置される複数の上階建物ユニット３と、これらの上階建物ユニット３の上に取り付けられる屋根４とを備えて構成されている。また、この屋根４は、複数の屋根パネル５で構成されている。そして、これらの屋根パネル５に、予め工場で、レール状の取付部材２０を介して多数の太陽電池パネル１０が取り付けられている。
　【００２１】
　図２〜４に示すように、本実施の形態に係る太陽電池パネルの取付構造は、複数の屋根パネル５に、予め工場で、レール状の取付部材２０を取り付けるとともに、この取付部材２０に太陽電池パネル１０を取り付け、現場で、隣接する屋根パネル５間にジョイント用太陽電池パネル１０’を取り付ける構造である。
　【００２２】
　屋根パネル５は、例えば溝型鋼を枠組みしたフレームの表面に合板等の屋根面材を張り付けて形成され、屋根面材の表面には、アスファルトルーフィング等のシート材５Ａが張り付けられている。
　【００２３】
　太陽電池パネル１０は、所定数のソーラーセルを収めた平板状の防水ケース１２と、このケース１２の周縁に取り付けられた四角形状の枠体１３とを有するものである。これらのケース１２、枠体１３により防水および補強がなされ、内部のソーラーセルは、雨水による漏電や短絡等の事故、太陽電池パネル１０の表面に加わる荷重等から保護されるようになっている。
　【００２４】
　図４中、紙面の直交方向に延びる枠体１３の縦枠部１３Ａは、下方の部分が図中左右方向に延びる横枠部１３Ｂの下面よりも下方に突出し、太陽電池パネル１０の脚部１４となっている。そして、この脚部１４により太陽電池パネル１０の荷重が前記取付部材２０に伝達されるようになっている。また、脚部１４には、外側の下端部分に外側に突出する固定用鍔部１５が設けられている。
　【００２５】
　レール状の取付部材２０は、屋根１の傾斜方向に沿って、前述のように、予め工場で、所定間隔で複数本敷設されており、図４に示すような構造となっている。
　すなわち、取付部材２０は、図中上方が開口となった断面コ字状の樋部２１と、この樋部２１の下方に一体的に設けられた断面四角形状のパイプ部２２とを有する。樋部２１は、太陽電池パネル１０の脚部１４を受けるとともに、太陽電池パネル１０に降り注いだ雨水等を集めて軒６（図２参照）へ排水するものである。また、樋部２１の底部２３には、脚部１４が載せられるとともに、脚部１４の固定用鍔部１５を貫通したタッピングねじ２４が螺合されている。そして、この底部２３が太陽電池パネル１０を固定する固定部となっている。
　【００２６】
　隣合う太陽電池パネル１０間の継ぎ目部分には、図４に示すように、断面クランク形状の固定具１６が配置されている。
　この固定具１６は、下端が樋部２１の底部２３に固定されるとともに、上端で取付部材２０に固定された太陽電池パネル１０の鍔部１１を上方から押え付けるものである。
　【００２７】
　また、パイプ部２２は、太陽電池パネル１０の側面が傾斜して底面部がすぼんだ筒状とされ、タッピングねじ２４と螺合する樋部２１の底部２３のねじ孔から浸入する雨水等を軒６へ排水するようになっている。
　パイプ部２２の傾斜した側面には、下端付近に取付用鍔部２５が突設されており、この取付用鍔部２５を貫通するねじ２６を屋根パネル５に螺合させることにより、取付部材２０の固定がなされている。
　【００２８】
　このような隣接する屋根パネル５のそれぞれの端部は、屋根パネル５と対応しない（整数枚収められない）所定の大きさの太陽電池パネル１０が所定数取り付けられたとき、言わば調整用のジョイント部９となっており、このジョイント部９にはジョイント用太陽電池パネル１０’が取り付けられるようになっている。このジョイント用太陽電池パネル１０’は、図４に示すように、上記太陽電池パネル１０とまったく同一の構造となっている。
　【００２９】
　隣接する取付部材２０間の目地部７は防水構造となっている。
　すなわち、隣接する取付部材２０の互いに対向する側面の間にはパッキング部材３１，３２が介装されるとともに、これらの取付部材２０に跨がって防水テープ３３が張り付けられている。また、目地部７の上部では、図中上下方向に三段に形成された舌部８Ａを水平に突出させた化粧目地ガスケット８が挿入されている。
　【００３０】
　また、図２，３に示すように、屋根パネル５において、太陽電池パネル１０が取り付けられた周囲には、太陽電池パネル１０とほぼ等しい大きさの四角形状に形成された屋根部材１７が取り付けられている。この屋根部材１７は屋根仕上げ材等を張り付けて形成され、太陽電池パネル１０と同様に、取付部材２０に釘打ち等によって取り付けられる。ジョイント部９においても、ジョイント用屋根部材１７’が現場で取り付けられるようになっている。
　【００３１】
　このような本実施形態では、屋根パネル５を製作した後、工場でこの屋根パネル５に所定本数の取付部材２０を所定間隔で取り付ける。この際、取付部材２０には、パッキング部材３１，３２を取り付けるとともに、防水テープ３３を張り付けて防水構造としておく。
　引き続き、隣接する屋根パネル５の互いに隣合う端部のジョイント部９を除く部分に、所定数の太陽電池パネル１０を取付部材２０に取り付けて設ける。
　【００３２】
　ジョイント部３を除く部分に多数の太陽電池パネル１０を取り付けた複数枚の屋根パネル５を現場にトラック輸送し、現場で組み合わせた複数の建物ユニットにこれらの屋根パネル５を取り付ける。
　次いで、隣接する屋根パネル５間のジョイント部９に、ジョイント用太陽電池パネル１０’を取り付ける。この際、隣接する屋根パネル５の端部の取付部材２０Ａにジョイント用太陽電池パネル１０’を跨がらせ、このパネル１０’の脚部１４と固定用鍔部１５とを取付部材２０Ａの底部２３に当接させ、固定用鍔部１５をタッピングねじ２４で取付部材２０Ａに取り付ける。そして、ジョイント部９にジョイント用屋根部材１７’も取り付ける。この後、このジョイント用太陽電池パネル１０’と前記太陽電池パネル１０との目地部７に、化粧目地ガスケット８を挿入する。
　【００３３】
　前述のような本実施形態によれば次のような効果がある。
　すなわち、取付部材２０は、予め工場で屋根パネル５に取り付けられ、さらに、この取付部材２０に屋根パネル５のジョイント部９を除いて太陽電池パネル１０が取り付けられているので、現場では、隣接する屋根パネル５のジョイント部３に、ジョイント用太陽電池パネル１０’を取り付けるだけで屋根１を形成でき、これにより、現場作業が少なくてすみ、かつ、屋根４の施工が短時間で可能となる。
　【００３４】
　また、屋根パネル５の幅寸法と太陽電池パネル１０の幅寸法とが対応しておらず、屋根パネル５の幅寸法内に所定枚数の太陽電池パネル１０が収まらないときでも、ジョイント用太陽電池パネル１０’を２つの屋根パネル５に跨がらせることができ、隣接する屋根パネル５に連続して太陽電池パネルを配置することができ、発電効率を高めることができる。
　【００３５】
　さらに、取付部材２０は、予め工場で屋根パネル５に取り付けられ、さらに、この取付部材２０に屋根パネル５のジョイント部９を除いて太陽電池パネル１０が取り付けられているので、各部材２０，１０，２を別個に輸送しなくてもすみ、これにより、輸送までの管理や取扱いが煩雑にならずにすむ。
　【００３６】
　なお、本発明は前述の実施形態に限定されるものではなく、本発明の目的を達成できる範囲であれば次に示すような変形形態を含むものである。
　例えば、前記実施形態では、太陽電池パネル１０を予め工場で取付部材２０に取り付け、ジョイント用太陽電池パネル１０’を現場で隣接する屋根パネル５間に取り付けたが、これに限らず、予め工場で取付部材２０のみを屋根パネル５に取り付け、太陽電池パネル１０はジョイント用太陽電池パネル１０’と共に現場で取り付けてもよい。
　【００３７】
　また、前記実施形態では、屋根パネル５において太陽電池パネル１０の周囲に配置する屋根部材１７は、太陽電池パネル１０とほぼ等しい大きさの四角形状に形成したが、これに限らず、例えば、ジョイント部９と太陽電池パネル１０とを除く部分全部を覆う一枚の屋根部材で形成してもよい。このようにすれば、製作および取り付けが容易である。
　【００３８】
　【発明の効果】
　以上に説明したように、本発明の太陽電池パネルの取付構造
および取付方法
という効果がある。また、屋根構成材の幅寸法と太陽電池パネルの幅寸法とが対応しておらず、屋根構成材の幅寸法内に所定枚数の太陽電池パネルが収まらないときでも、ジョイント用太陽電池パネルを２つの屋根構成材に跨がらせることができるので、隣接する屋根構成材に連続して太陽電池パネルを配置することができ、これにより、発電効率を高めることができる。
　【００３９】
【図面の簡単な説明】
　【図１】
　本発明の一実施形態に係る太陽電池パネルを取り付けたユニット式建物を示す全体斜視図である。
　【図２】
　本実施形態に係る太陽電池パネルを取り付けた屋根パネルからなる屋根を示す斜視図である。
　【図３】
　本実施形態に係る太陽電池パネルを取り付けた屋根パネルを示す斜視図である。
　【図４】
　本実施形態の要部を示す断面図である。
　【符号の説明】
　１　ユニット式建物
　３　建物本体である上階建物ユニット
　４　屋根
　５　屋根構成材である屋根パネル
　１０　太陽電池パネル
　１０’　ジョイント用太陽電池パネル
　２０　レール状の取付部材
　２０Ａ　端部の取付部材